(57)【特許請求の範囲】
【請求項１】
搬入された媒体を厚さ方向に集積する集積板と、
媒体の搬入方向の前方に設けられた前面板と、
前記前面板に対向配置された後面板と、
前記後面板の天板側に設けられた搬入口と、
前記搬入口に設けられ、媒体を挟持して搬送する搬入ローラと、を備え、
前記前面板と前記天板との挟み角を鈍角とし、前記前面板と前記天板との角部に湾曲面を設け、
前記前面板を、前記搬入ローラによる挟持の解除時に、媒体の先端との間に隙間が形成される位置に配置したことを特徴とする媒体集積庫。
【請求項２】
搬入された媒体を厚さ方向に集積する集積板と、
媒体の搬入方向の前方に設けられた前面板と、
前記前面板に対向配置された後面板と、
前記後面板の天板側に設けられた搬入口と、を備え、
前記前面板と前記天板との挟み角を鈍角とし、前記前面板と前記天板との角部に湾曲面を設けると共に、前記前面板と前記搬入口との間の前記搬入口側に、搬入方向に直交するシャフトを設けたことを特徴とする媒体集積庫。
【請求項３】
請求項２に記載の媒体集積庫において、
前記搬入口に、媒体を挟持して搬送する搬入ローラを設け、
前記搬入ローラによる挟持の解除時に、媒体の先端が前記前面板に押付けられていることを特徴とする媒体集積庫。
【請求項４】
請求項１または請求項２に記載の媒体集積庫において、
前記集積板を、前記後面板から前記前面板に向けて下る方向に傾斜させたことを特徴とする媒体集積庫。
【請求項５】
請求項１または請求項２に記載の媒体集積庫において、
前記媒体は、ロール紙を切断して形成した媒体であることを特徴とする媒体集積庫。
【発明の詳細な説明】
【技術分野】
【０００１】
本発明は、鉄道や航空機等の旅客系の発券装置に搭載する乗車券や航空券等の媒体を集積する媒体集積庫に関する。
【背景技術】
【０００２】
従来の発券装置は、ロール紙を所定の長さに切断して乗車券の原券を作成し、作成した原券の裏面に発行日や料金を磁気情報で書込むと共におもて面に同様の内容を印刷して乗車券を発行し、書込んだ磁気情報に不良等が発生した場合は、当該不良券をパンチ部で穿孔した後に廃券回収部の搬入口から内部に搬入して集積板上に集積している（例えば、特許文献１参照。）。
【先行技術文献】
【特許文献】
【０００３】
【特許文献１】特開２００４−３１８６８０号公報（段落００１２−００１６、第１図）
【発明の概要】
【発明が解決しようとする課題】
【０００４】
上述した従来のロール紙を用いた発券装置の廃券回収部等の集積庫においては、搬送された乗車券等の媒体を搬入口から内部に搬入して集積板上に集積しているが、通常、ロール紙を切断した媒体は、表裏のいずれかを凸にした反りを有しているため、集積後の媒体の表裏が入り乱れると、例えば、裏面を凸にして反っている媒体を用いているときに、裏面を上にして集積された媒体の上におもて面を上にした媒体が集積されると、両端部に空間が形成されるため、規定枚数の媒体の集積ができない場合があるという問題がある。
【０００５】
そこで、本発明は、ロール紙を切断した反りを有する媒体であっても表裏を揃えて集積する手段を提供することを目的とする。
【課題を解決するための手段】
【０００６】
本発明は、上記課題を解決するために、媒体集積庫が、搬入された媒体を厚さ方向に集積する集積板と、媒体の搬入方向の前方に設けられた前面板と、前記前面板に対向配置された後面板と、前記後面板の天板側に設けられた搬入口と、前記搬入口に設けられ、媒体を挟持して搬送する搬入ローラと、を備え、前記前面板と前記天板との挟み角を鈍角とし、前記前面板と前記天板との角部に湾曲面を設け、前記前面板を、前記搬入ローラによる挟持の解除時に、媒体の先端との間に隙間が形成される位置に配置したことを特徴とする。
【発明の効果】
【０００７】
これにより、本発明は、反りを有する媒体であっても、表裏を揃えた状態で集積することができ、規定枚数の媒体を集積することが可能になるという効果が得られる。
【図面の簡単な説明】
【０００８】
【図１】実施例１の発券装置を示す説明図
【図２】実施例１の廃券回収部を示す説明図
【図３】実施例１の廃券回収部の作用を示す説明図
【図４】実施例１の廃券回収部の他の態様を示す説明図
【図５】実施例２の廃券回収部を示す説明図
【図６】実施例２の廃券回収部の作用を示す説明図
【図７】実施例２の廃券回収部の作用を示す説明図
【発明を実施するための形態】
【０００９】
以下に、図面を参照して本発明による媒体集積庫の実施例について説明する。
【実施例１】
【００１０】
以下に、図１ないし図３を用いて本実施例の発券装置の廃券回収部について説明する。
本実施例の媒体発行装置としての発券装置１は、空港の航空会社の案内カウンタや、鉄道の駅のみどりの窓口（東日本旅客鉄道株式会社の登録商標）等の出札所に設置された、航空券や、比較的大型の乗車券である特急券や周遊券、定期券および領収書等の媒体Ｔの発行や料金の払い戻しを行う装置であって、図１に示す構成を備えている。
【００１１】
以下の説明においては、鉄道の駅の出札所に設置された発券装置１を例に説明するが、空港の案内カウンタ等に設置された発券装置１の場合も同様である。
ロール紙２は、発券装置１の正面下部に設けられたローラ２ａ上に載置されたロール状に巻き付けられた帯状の連続紙であって、磁気コーティングが施された裏面（磁気面ともいう。）を、半径方向の外側に向けてロール状に巻き付けられている。
【００１２】
このため、本実施例のロール紙２を切断して形成された媒体Ｔは、磁気面（裏面）を凸にして反った状態になっている。
カッタ３は、固定刃と可動刃を対向配置した切断機構を備えており、搬送路４により搬送されたロール紙２を、特急券や指定券、周遊券等の各媒体Ｔの所定の長さに切断して各媒体Ｔの原券を作成する。
【００１３】
本実施例の搬送路４は、複数の搬送ローラにより媒体Ｔを挟持して搬送する搬送路であって、その各分岐部には、媒体Ｔの搬送方向を切替える図示しない切替機構が設けられており、搬送モータ４ａを備えた駆動機構により駆動される。
【００１４】
定期券収納部５は、裏面に磁気コーティングが施された矩形の定期券の原券を厚さ方向に積層して収納した収納部であって、水平に配置されたステージ上におもて面を上にして積層された原券を１枚毎に繰出す、ピックアップローラ、フィードローラ、リバースローラ等からなる繰出機構５ａを備えている。
【００１５】
印字部６は、感熱式等の印字ヘッドを備えており、カッタ３で切断された各媒体Ｔの原券のおもて面（印字面ともいう。）や、定期券収納部５から繰出された定期券の原券のおもて面に、発行日や乗車区間、料金、有効期間等の所定の事項を印字する。
【００１６】
磁気部７は、磁気ヘッドを備えた磁気書込部７ａと磁気読取部７ｂとで構成され、搬送路４により搬送された各原券に、磁気書込部７ａで、印字部６において印字された所定事項と同様の所定の磁気情報を書込み、磁気読取部７ｂで、磁気書込部７ａにより書込まれた磁気情報を読取って、書込まれた情報の正否を判定する。
【００１７】
発券口８は、発券装置１の正面上部に配置され、印字部６で原券の印字面に所定事項が印字され、磁気部７で所定の磁気情報が書込まれ、正券と判定された特急券や周遊券、定期券等の媒体Ｔを出札所の係員に引渡す。
入券口１１は、発券口８の上方に配置され、払い戻し等を行う特急券や周遊券等の媒体Ｔが、印字面を上にして出札所の係員により挿入される。
【００１８】
廃券印字部１２は、ドットインパクト式の印字ヘッド、プラテン、インクリボン等を備えており、入券口１１から挿入され、磁気部７で磁気情報を消去して搬送路４により搬送された媒体Ｔや、媒体Ｔの発行時に磁気部７で磁気情報の不良等により廃券と判定され、搬送路４により搬送された媒体Ｔのおもて面に、赤字印字により廃券の旨の文言を印字する廃券印字を行う。
【００１９】
パンチ部１３は、円柱状の切刃と、切刃に遊嵌するガイド穴等を備えており、廃券印字部１２で廃券印字を行った後に搬送路４により搬送された媒体Ｔに穿孔を行う。
媒体集積庫としての廃券回収部２０は、廃券印字部１２で廃券印字が行われ、パンチ部１３で穿孔された後に搬送路４により搬送された媒体Ｔを集積する集積庫であって、図２に示す構成を備えている。
【００２０】
本実施例の廃券回収部２０は、搬入口２１に設けられた搬入ローラ２２と、搬入ローラ２２により搬入され、放出された媒体Ｔを厚さ方向に集積する集積板２３と、搬入ローラ２２により搬入される媒体Ｔの搬入方向の前方に設けられた前面板２４ａと、前面板２４ａに対向配置され、上部に搬入口２１が設けられた後面板２４ｂと、集積板２３の上方に設けられた天板２４ｃと、前面板２４ａと後面板２４ｂとの側方に設けられた２枚の側板２４ｄを有している。
【００２１】
搬入ローラ２２は、２つのローラ２２ａ、２２ｂ間に媒体Ｔを挟持して搬送する搬送手段であって、図２に示すように、集積板２３側のローラ２２ｂの外周面と、前面板２４ａとの間の距離Ｌｓが、取扱う各媒体Ｔの中で搬入方向の長さが最も長い媒体Ｔの媒体長（最大媒体長Ｌｍａｘという。本実施例では、周遊券や領収書等長さである１２０ｍｍ）より短くなる位置に配置されている。
【００２２】
また、前面板２４ａは、最大媒体長Ｌｍａｘの媒体Ｔが、搬入ローラ２２による後端の挟持が解除されたときに、前面板２４ａの内面と、媒体Ｔの先端との間に隙間δ（本実施例では、最大媒体長Ｌｍａｘの媒体Ｔを用いた場合に１ｍｍ程度）が形成される位置に配置されている。
【００２３】
本実施例の廃券回収部２０の天板２４ｃは、後面板２４ｂから前面板２４ａに向かって下る方向に傾斜しており、前面板２４ａと天板２４ｃとの挟み角θは、鈍角（本実施例では、１１５度）となるように形成され、前面板２４ａと天板２４ｃとの角部には湾曲面Ｒ（本実施例では、半径２７ｍｍの円弧面）が設けられている。
【００２４】
なお、前記した挟み角θの具体的な角度や円弧面の半径は、複数の実験により決定された値を例示したが、挟み角θと湾曲面Ｒの曲率半径の組合せはこれらに限らず、搬入中の媒体Ｔの先端が、搬入ローラ２２による後端の挟持が解除されたときに、湾曲面Ｒの内面に接しており、かつその先端と前面板２４ａの内面との間に隙間δを形成することが可能な組合せであれば、どのような組合せであってもよい。
【００２５】
また、搬入ローラ２２のローラ２２ａと２２ｂの軸芯を結んだ線は、天板２４ｃの傾斜に対して略直交方向となるように設置されている。
更に、廃券回収部２０の底部に設けられた集積板２３は、後面板２４ｂから前面板２４ａに向かって下る方向に傾斜角α（本実施例では、１０度）で傾斜するように設けられている。
【００２６】
以下に、本実施例の発券装置１による発券処理および廃券回収処理の処理動作について説明する。
発券処理によって最大媒体長Ｌｍａｘの媒体Ｔ（本説明では周遊券）を発券する場合、発券装置１は、出札所の係員が入力した発券指示を受付けると、ロール紙２を搬送路４に繰出して、カッタ３でロール紙２を最大媒体長Ｌｍａｘの長さに切断して周遊券の原券を作成する。
【００２７】
原券を作成した発券装置１は、作成した原券を搬送路４により印字部６へ搬送し、印字部６で原券のおもて面に発行日や周遊区間、料金、有効期間等の所定事項を印字し、印字を終えた原券を搬送路４によって磁気部７に搬送する。
【００２８】
印字を終えた原券が磁気部７に達すると、発券装置１は、磁気書込部７ａで所定の磁気情報を書込み、磁気読取部７ｂで、その磁気情報を読取って書込まれた情報の正否を判定し、正しい磁気情報が書込まれた正券と判定した場合は、当該周遊券を搬送路４により発券口８に搬送して係員に引渡す。
【００２９】
周遊券を受取った係員は、当該周遊券を顧客に手渡し、顧客によってその料金が支払われると、その料金の領収書の発行指示を入力する。
【００３０】
領収書の発行指示を受付けた発券装置１は、周遊券の場合と同様に、ロール紙２を最大媒体長Ｌｍａｘの長さに切断して領収書の原券を作成し、その原券に、領収書の発行対象となった乗車券の種別（本説明では、○○周遊券）、領収金額、発行日等の所定事項を印字して磁気部７へ搬送し、磁気部７で書込まれた磁気情報が正しいと判定された場合は、当該領収書を発券口８に搬送して係員に引渡す。
【００３１】
領収書を受け取った係員は、当該領収書を顧客に手渡す。
このようにして、本実施例の発券装置１による発券処理が実行される。
【００３２】
上記した発券処理において、磁気部７で磁気書込部７ａにより書込まれた磁気情報が磁気読取部７ｂよって読取ることができない等の不良により廃券と判定された場合、発券装置１は、廃券回収処理を実行するために、廃券と判定した媒体Ｔの磁気情報を磁気部７によって消去し、当該媒体Ｔを搬送路４により廃券印字部１２へ搬送する。
【００３３】
媒体Ｔを廃券印字部１２へ搬送した発券装置１は、搬送された媒体Ｔに廃券印字を行い、廃券印字を終えた媒体Ｔを搬送路４によりパンチ部１３へ搬送して、パンチ部１３により当該媒体Ｔに穿孔を行い、穿孔を終えた媒体Ｔを搬送路４により廃券回収部２０へ搬送して、おもて面（印字面）を上にした状態の媒体Ｔの先端を、搬入口２１に設けられた搬入ローラ２２のローラ２２ａ、２２ｂ間に挟持させる。
【００３４】
廃券となった媒体Ｔを搬入ローラ２２で挟持した発券装置１は、図３に示すように、挟持した媒体Ｔを搬入ローラ２２によって前面板２４ａに向けて送り出す。
【００３５】
前面板２４ａに向けて送り出された媒体Ｔは、図３に符号「Ｐ１」を付した媒体Ｔのように、先端が、前面板２４ａに向かって下る方向に傾斜した天板２４ｃおよび角部に設けられた湾曲面Ｒの内面に倣って曲げられながら搬入され、搬入ローラ２２による後端の挟持が解除されたときに媒体Ｔが前面板２４ａの方向に放出される。
【００３６】
このとき、本実施例の前面板２４ａと、後端の挟持の解除時における媒体Ｔの先端との間には隙間δが設けてあるので、挟持の解除時に発生する、曲げられた媒体Ｔの復元力による前面板２４ａからの反力が軽減され、軽減された反力が、媒体Ｔの放出に伴う搬入方向の慣性力の一部を相殺して比較的小さな力で前面板２４ａの内面に接触する。
【００３７】
そして、前面板２４ａに先端が接触した媒体Ｔは、図３に符号「Ｐ２」を付して示した媒体Ｔように、媒体Ｔの自重Ｗの分力Ｂによる前面板２４ａとの摩擦力Ｆと、図３に破線で示した落下に伴う空気抵抗による支持力とのバランスによって、比較的緩やかな角度を維持したまま落下し、集積板２３上に集積された媒体Ｔの最上位に、おもて面を上にした状態で集積される。
【００３８】
このようにして、本実施例の発券装置１による廃券回収処理が実行される。特急券や指定券（媒体長：８５ｍｍ）、定期券の場合も同様である。
【００３９】
また、払い戻し処理の場合は、係員が払い戻し指示を入力した後に、顧客から受取った特急券や周遊券等の媒体Ｔを入券口１１から挿入すると、これを検知した発券装置１は、挿入された媒体Ｔを搬送路４により磁気部７へ搬送して、媒体Ｔに書込まれている磁気情報を消去する。
その後は、上記と同様にして、払い戻しを行う媒体Ｔの廃券回収処理を実行する。
【００４０】
以上説明したように、本実施例では、廃券回収部２０の前面板２４ａと天板２４ｃとの挟み角θを鈍角とし、前面板２４ａと天板２４ｃとの角部に湾曲面Ｒを設け、媒体Ｔの搬入時に、その先端が、下る方向に傾斜した天板２４ｃの内面および湾曲面Ｒの内面に倣って曲げられながら搬入され、搬入ローラ２２による後端の挟持が解除されるときに先端が湾曲面Ｒに達し、かつ先端と前面板２４ａとの間には隙間δが存在するので、挟持の解除時に発生する媒体Ｔの復元力による前面板２４ａからの反力を軽減することができ、軽減された反力が、媒体Ｔの放出に伴う搬入方向の慣性力の一部を相殺して比較的小さな力で前面板２４ａの内面に接触させることが可能になり、媒体Ｔを比較的緩やかな角度を維持したまま落下させて、反りを有する媒体Ｔを表裏を揃えた状態で集積することができ、規定枚数の媒体Ｔを集積することが可能になると共に、回収した廃券の表裏を揃える作業を不要にして、廃券の確認作業における作業時間を短縮することができる。
【００４１】
また、媒体Ｔの集積時に、例えば、集積板２３が水平に配置されている場合には、集積された媒体Ｔが後面板２４ｂ側に偏って集積されることがあり、このとき形成される、集積された媒体Ｔの前面板２４ａ側の端面と、前面板２４ａの内面との間の隙間に、落下してきた媒体Ｔの先端が挟まり、当該媒体Ｔが垂直もしくは斜めに集積されてしまうことがあるが、本実施例の集積板２３は、後面板２４ｂから前面板２４ａに向かって下る方向に傾斜角αで傾斜するように設けられているので、媒体Ｔの先端を、前面板２４ａの内面に沿って整位させた状態で集積することができ、落下してきた媒体Ｔの先端が、前記隙間に挟まることを防止することができる。
【００４２】
更に、通常の発券装置の設けられた廃券回収部等の集積庫においては、搬入口に設けられた搬入ローラを垂直方向に配置し、その外周面と、前面板の内面との間の距離Ｌｓを最大媒体長Ｌｍａｘ以上に設定することが通例となっているが、本実施例では、上記のように下る方向に傾斜させた天板２４ｃとその角部に設けた湾曲面Ｒにより、搬入ローラ２２の外周面と、前面板２４ａの内面との間の距離Ｌｓを最大媒体長Ｌｍａｘより短くしても、反りを有する媒体Ｔを表裏を揃えて集積することができ、例えば、パンチ部１３を搬入ローラ２２の直前に配置して発券装置１の小型化を図ることができる。
【００４３】
なお、本実施例では、天板２４ｃは、傾斜させた平板として説明したが、図４に示すように、天板２４ｃの搬入口２１から湾曲面Ｒまでの間に段部２７を設けるようにしてもよい。このようにすれば、距離Ｌｓを上記に比べて短縮することが可能になる。
【００４４】
また、廃券回収部２０を樹脂等で製作した場合には、この段部２７に除電ブラシ等の除電手段を設けるようにするとよい。このようにすれば、集積する媒体Ｐの前面板２４ａ等への貼り付きを防止することができる。
【実施例２】
【００４５】
以下に、図５ないし図７を用いて本実施例の廃券回収部について説明する。なお上記実施例１と同様の部分は、同一の符号を付してその説明を省略する。
本実施例の廃券回収部２０は、上記実施例１と同様に、搬入口２１に設けられた搬入ローラ２２と、搬入ローラ２２により搬入された媒体Ｔを厚さ方向に集積する集積板２３と、搬入ローラ２２により搬入される媒体Ｔの搬入方向の前方に設けられた前面板２４ａと、前面板２４ａに対向配置され、上部に搬入口２１が設けられた後面板２４ｂと、集積板２３の上方に設けられた天板２４ｃと、前面板２４ａと後面板２４ｂとの側方に設けられた２枚の側板２４ｄを有している。
【００４６】
また、本実施例の廃券回収部２０の前面板２４ａと搬入ローラ２２を設けた搬入口２１との間の、集積板２３側のローラ２２ｂの近傍には、図５に示すように、２枚の側板２４ｄ間に取付けられた、搬入方向の直交方向に伸長するシャフト３１が設けられている。
【００４７】
このシャフト３１の軸芯の前面板２４ａの内面からの距離Ｌｐは、最大媒体長Ｌｍａｘ（本実施例では１２０ｍｍ）の半分以上の長さであって、取扱う各媒体Ｔの中で搬入方向の長さが最も短い媒体Ｔの媒体長（最小媒体長Ｌｍｉｎという。本実施例では、特急券や指定券等長さである８５ｍｍ）以下に設定されている。
【００４８】
本実施例の搬入ローラ２２は、その集積板２３側のローラ２２ｂの外周面と、前面板２４ａとの間の距離Ｌｓが、最小媒体長Ｌｍｉｎより短くなる位置に配置されている。
また、前面板２４ａは、最小媒体長Ｌｍｉｎの媒体Ｔの先端が、搬入ローラ２２による後端の挟持が解除される前に、前面板２４ａの内面に押付けられる位置に配置されている。
【００４９】
本実施例の廃券回収部２０の天板２４ｃは、後面板２４ｂから前面板２４ａに向かって下る方向に傾斜しており、前面板２４ａと天板２４ｃとの挟み角θは、鈍角となるように形成されているが、挟み角θは実施例１に比べて小さい角度に形成され、前面板２４ａと天板２４ｃとの角部に設けられた湾曲面Ｒの曲率半径は、実施例１に比べて小さく形成されている。
【００５０】
また、搬入ローラ２２のローラ２２ａと２２ｂの軸芯を結んだ線は、天板２４ｃの傾斜に対して略直交方向となるように設置されている。
更に、廃券回収部２０の底部に設けられた集積板２３は、実施例１と同様の傾斜角αで傾斜するように設けられている。
【００５１】
以下に、本実施例の発券装置１による発券処理および廃券回収処理の処理動作について説明する。
発券処理によって最小媒体長Ｌｍｉｎの媒体Ｔ（本説明では特急券）を発券する場合、発券装置１は、出札所の係員が入力した発券指示を受付けると、ロール紙２を搬送路４に繰出して、カッタ３でロール紙２を最小媒体長Ｌｍｉｎの長さに切断して特急券の原券を作成する。
【００５２】
原券を作成した発券装置１は、作成した原券を搬送路４により印字部６へ搬送し、印字部６で原券のおもて面に発行日や乗車区間、料金、有効期間等の所定事項を印字し、印字を終えた原券を搬送路４によって磁気部７に搬送する。
【００５３】
印字を終えた原券が磁気部７に達すると、発券装置１は、磁気書込部７ａで、所定の磁気情報を書込み、磁気読取部７ｂで、その磁気情報を読取って書込まれた情報の正否を判定し、正しい磁気情報が書込まれた正券と判定した場合は、当該特急券を搬送路４により発券口８に搬送して係員に引渡す。
【００５４】
特急券を受取った係員は、当該特急券を顧客に手渡し、顧客によってその料金が支払われると、その料金の領収書の発行指示を入力する。
その後の領収書の発券処理の処理動作は、上記実施例１の場合と同様であるので、その説明を省略する。
このようにして、本実施例の発券装置１による発券処理が実行される。
【００５５】
上記した発券処理において、磁気部７で、最小媒体長Ｌｍｉｎの媒体Ｔである特急券に書込まれた磁気情報が磁気読取部７ｂよって読取ることができない等の不良により廃券と判定された場合の廃券回収処理の処理動作の中で、廃券となった媒体Ｔを、おもて面（印字面）を上にした状態で先端を搬入口２１に設けられた搬入ローラ２２のローラ２２ａ、２２ｂ間に挟持させるまでの処理動作は、上記実施例１の場合と同様であるので、その説明を省略する。
【００５６】
廃券となった媒体Ｔを搬入ローラ２２で挟持した発券装置１は、図６に示すように、挟持した最小媒体長Ｌｍｉｎの媒体Ｔを搬入ローラ２２によって前面板２４ａに向けて送り出す。
【００５７】
前面板２４ａに向けて送り出された媒体Ｔは、図６に符号「ＰＡ１」を付した媒体Ｔのように、先端が、前面板２４ａに向かって下る方向に傾斜した天板２４ｃおよび角部に設けられた湾曲面Ｒの内面に倣って、上記実施例１より深く曲げられながら搬入され、搬入ローラ２２に挟持されたまま前面板２４ａの内面に押付けられ、後端の挟持が解除されたときに、曲げられて撓んだ状態から解放されため、媒体Ｔの復元力による前面板２４ａからの反力によって、符号「ＰＡ２」を付して示した媒体Ｔように、シャフト３１の方向に弾き飛んで後端がシャフト３１に当接する。
【００５８】
そして、後端がシャフト３１に当接した媒体Ｔは、符号「ＰＡ３」を付して示した媒体Ｔように、媒体Ｔの自重により後端をシャフト３１に支持されながら、姿勢を整えられた状態で図において反時計方向に回動し、後端がシャフト３１から外れる。
【００５９】
後端がシャフト３１から外れた媒体Ｔは、符号「ＰＡ４」を付して示した媒体Ｔように、外れるときに与えられた角運動量により、更に反時計方向に回動しながら落下し、先端が集積板２３に達すると、符号「ＰＡ５」を付して示した媒体Ｔように、自重により時計方向に回動して、おもて面を上にした状態で集積板２３上に集積される。
【００６０】
発券処理において、磁気部７で、最大媒体長Ｌｍａｘの媒体Ｔである領収書に書込まれた磁気情報が磁気読取部７ｂよって読取ることができない等の不良により廃券と判定された場合は、上記特急券の場合と同様にして、図７に示すように、廃券となった、最大媒体長Ｌｍａｘの媒体Ｔを搬入ローラ２２で挟持して前面板２４ａに向けて送り出す。
【００６１】
前面板２４ａに向けて送り出された媒体Ｔは、図７に符号「ＰＢ１」を付した媒体Ｔのように、先端が、前面板２４ａに向かって下る方向に傾斜した天板２４ｃおよび角部に設けられた湾曲面Ｒの内面に倣って、特急券の場合より深く曲げられながら搬入され、搬入ローラ２２に挟持されたまま前面板２４ａの内面に押付けられ、後端の挟持が解除されたときに、曲げられて撓んだ状態から解放されるため、媒体Ｔの復元力による前面板２４ａからの反力によって、符号「ＰＢ２」を付して示した媒体Ｔように、シャフト３１の方向に弾き飛んで後端がシャフト３１に当接する。
【００６２】
そして、後端がシャフト３１に当接した媒体Ｔは、符号「ＰＢ３」を付して示した媒体Ｔように、媒体Ｔの自重により後端をシャフト３１に支持されながら、姿勢を整えられた状態で図において反時計方向に回動し、後端がシャフト３１から外れる。
【００６３】
後端がシャフト３１から外れた媒体Ｔは、符号「ＰＢ４」を付して示した媒体Ｔのように、外れるときに与えられた角運動量により、更に反時計方向に回動しながら落下し、先端が集積板２３に達すると、符号「ＰＢ５」を付して示した媒体Ｔように、自重により時計方向に回動して、おもて面を上にした状態で集積板２３上に集積される。
【００６４】
このようにして、本実施例の発券装置１による廃券回収処理が実行される。
また、払い戻し処理の場合は、係員が払い戻し指示を入力した後に、顧客から受取った特急券や周遊券等の媒体Ｔを入券口１１から挿入すると、これを検知した発券装置１は、挿入された媒体Ｔを搬送路４により磁気部７へ搬送して、媒体Ｔに書込まれている磁気情報を消去する。
その後は、上記と同様にして、払い戻しを行う媒体Ｔの廃券回収処理を実行する。
【００６５】
以上説明したように、本実施例では、廃券回収部２０の前面板２４ａと天板２４ｃとの挟み角θを鈍角とし、前面板２４ａと天板２４ｃとの角部に湾曲面Ｒを設けると共に、前面板２４ａと搬入口２１との間の搬入口２１側に、搬入方向の直交方向に伸長するシャフト３１を設け、媒体Ｔの搬入時に、その先端が、下る方向に傾斜した天板２４ｃの内面および湾曲面Ｒの内面に倣って深く曲げられながら搬入され、搬入ローラ２２による後端の挟持が解除されるときに先端が前面板２４ａに押付けられているので、後端の挟持の解除時に、曲げられて撓んだ状態から解放されるときに発生する媒体Ｔの復元力による前面板２４ａからの反力によって、媒体Ｔがシャフト３１の方向に弾き飛んで後端がシャフト３１に当接し、媒体Ｔの自重により後端をシャフト３１に支持されながらシャフト３１から外れて、集積板２３上に落下するので、反りを有する媒体Ｔを表裏を揃えた状態で集積することができ、規定枚数の媒体Ｔを集積することが可能になると共に、回収した廃券の表裏を揃える作業を不要にして、廃券の確認作業における作業時間を短縮することができる。
【００６６】
また、媒体Ｔの後端の挟持の解除時に、前面板２４ａからの反力によって媒体Ｔをシャフト３１の方向に弾き飛して後端をシャフト３１に当接させ、このシャフト３１に後端を支持させて媒体Ｔの姿勢を整えるので、媒体Ｔの搬入方向を中心としたローリングを防止することができ、反りを有する媒体Ｔを表裏を揃えた状態で安定的に集積することができる。
【００６７】
更に、集積板２３を、後面板２４ｂから前面板２４ａに向かって下る方向に傾斜角αで傾斜するように設けたので、媒体Ｔの先端を前面板２４ａの内面に沿って整位させた状態で集積することができ、落下してきた媒体Ｔの先端が、実施例１で説明した隙間に挟まることを防止することができる。
【００６８】
更に、搬入ローラ２２の外周面と、前面板２４ａの内面との間の距離Ｌｓを、上記実施例１より短く設定できるので、発券装置１の更なる小型化を図ることができる。
【００６９】
なお、本実施例では、天板２４ｃは、傾斜させた平板として説明したが、上記実施例１と同様に、天板２４ｃの搬入口２１から湾曲面Ｒまでの間に段部２７を設けるようにしてもよい（図４参照）。このようにすれば上記実施例１と同様の効果を得ることができる。
【００７０】
上記各実施例においては、媒体集積庫は、発券装置１の廃券回収部２０であるとして説明したが、媒体集積庫は前記に限らず、ローラ対により媒体を集積する機能を有する収納庫または集積庫であれば、どのような媒体集積庫であっても、本発明を適用すれば、上記と同様の効果を得ることができる。
【符号の説明】
【００７１】
１    発券装置
２    ロール紙
３    カッタ
４    搬送路
４ａ  搬送モータ
５    定期券収納部
６    印字部
７    磁気部
７ａ  磁気書込部
７ｂ  磁気読取部
８    発券口
１１  入券口
１２  廃券印字部
１３  パンチ部
２０  廃券回収部
２１  搬入口
２２  搬入ローラ
２２ａ、２２ｂ  ローラ
２３  集積板
２４ａ  前面板
２４ｂ  後面板
２４ｃ  天板
２４ｄ  側板
２７  段部
３１  シャフト
【図１】
0006786870.tif 000002
【図２】
0006786870.tif 000003
【図３】
0006786870.tif 000004
【図４】
0006786870.tif 000005
【図５】
0006786870.tif 000006
【図６】
0006786870.tif 000007
【図７】
0006786870.tif 000008